(57)【要約】【課題】下衣ポケットに入れておいた物が入口を介して外へ抜けて紛失されることを抑制することができる下衣ポケットを提供する。【解決手段】 脇線を境界として前面に形成されたポケット本体を脇線を経て裏面に延設することによって、下衣ポケットに入れて置いた物が抜けて紛失されることを抑制することができる下衣ポケットを提供することができる。特に下衣ポケットに切開して形成された入口の周縁部を嵌合したまま密着させることで、別途の密閉装置を取り付けることなく物の漏れを防止することができる。【選択図】  図１
2008506860.tif 000002
【特許請求の範囲】
【請求項１】
脇線を基準として前面と裏面とからなる外皮；、
前記脇線に近接した前記前面上端に形成された入口；及び
前記入口と連結され前記脇線を境界として前記前面内に形成された袋型のポケット本体；を含む下衣ポケットにおいて、
前記ポケット本体は前記脇線を経て前記裏面まで一定した間隔だけ拡張されていることを特徴とする下衣ポケット。
【請求項２】
前記ポケット本体は、
前記外皮に対向する外表面；及び
前記外表面に対向する内表面；を含み、
前記内表面と外表面とが重なる周縁部は縫合されていることを特徴とする請求項１記載の下衣ポケット。
【請求項３】
前記入口は、
前記前面の上端部を所定の長さで切開して形成された第１入口；及び
前記第１入口に対応するように前記外表面を切開して形成された第２入口；を含み、
前記第１入口と第２入口とが重なる周縁部は縫合されていることを特徴とする請求項２記載の下衣ポケット。
【請求項４】
前記入口は前記脇線の上端部から前記前面の上端部側へ傾斜するように形成されていることを特徴とする請求項３記載の下衣ポケット。
【請求項５】
前記入口は前記脇線の上端部から水平方向に前記前面に形成されていることを特徴とする請求項３記載の下衣ポケット。
【請求項６】
前記入口は前記脇線の上端部から垂直方向に前記前面に形成されていることを特徴とする請求項３記載の下衣ポケット。
【請求項７】
前記入口は、
前記脇線の上端部から前記前面の上端側へ傾斜するように前記前面部を切開して形成した第１入口；及び
一端は前記第１入口の両端のうち一方と連結され、前記一端と連結された他端は前記第１入口よりも前方に形成されるように外表面を切開して形成した第２入口；を含み、
前記第１入口の前記脇線に近い前面の周縁部は前記外表面に縫合され、前記第２入口の前記脇線から遠い外表面の周縁部は前記前面に縫合されることを特徴とする請求項２記載の下衣ポケット。
【請求項８】
前記第２入口の一端は前記脇線上に形成され、前記第２入口の他端は前記前面の上端側に形成されることを特徴とする請求項７記載の下衣ポケット。
【請求項９】
前記第２入口の一端は前記前面の上端側に形成され、前記第２入口の他端は前記脇線の上端側に形成されることを特徴とする請求項７記載の下衣ポケット。
【請求項１０】
前記入口は、
前記脇線の上端部側から水平方向に前記前面部を切開して形成した第１入口；及び
一端は前記第１入口の両端のうち一方と連結され、前記一端と連結された他端は、前記第１入口よりも下方に傾斜形成されるように、前記外表面を切開して形成した第２入口；を含み、
前記第１入口の前面の上端と近い周縁部は前記外表面に縫合され、前記第２入口の前記前面上端と遠い周縁部は前記前面に縫合されることを特徴とする請求項２記載の下衣ポケット。
【発明の詳細な説明】
【技術分野】
【０００１】
本発明は下衣ポケットに関し、より詳しくは下衣ポケットの中に入れておいた物が入口を介して外へ抜けることを抑制することができる下衣ポケットに関する。
【０００２】
通常、大部分の人々が便利でかつ使い勝手がいいからズボンを着ることを好んでいる。ズボンには前方の両側にズボンポケットが備えられていることにより、簡単に携帯できる物、例えばコイン、紙幣、キー、携帯電話、判子などを入れて携えながら、必要な場合に迅速に取り出して使用することができるという便利性を提供する。もちろん、女性が着るスカートなどにもポケットが設けられている。従って、ここではズボン、スカートに形成されたポケットを下衣ポケットと通称する。
【０００３】
ところが、下衣を着用した状態で運転席のような低い椅子に座ったり、平らな床に座るか横になった状態で膝が上がる場合、下衣ポケットに入れていた物が本人が全然気が付かぬ間に外へ抜けてしまう場合が往々発生する。このように下衣ポケットに入れていた物が抜けることは下衣ポケットの構造に起因する。
【背景技術】
【０００４】
一般的な下衣に形成された従来の技術による下衣ポケット６１０が図１０及び図１１に示されている。図１０及び図１１に示したように、下衣はその形態を形成する外皮６２０と、該外皮６２０の上端に入口６４０と一緒に形成された下衣ポケット６１０とを含む。一方、これら図面においては、脇線６２１に近接した前面６２３に下衣ポケット６１０が形成された例を開示している。
【０００５】
その他、前記外皮６２０の上端にはベルトに通すことができる多数の環や、前面６２３の中心部分にはジッパーなどが設けられることができるが、本発明を理解するに必ずしも必要なものではないので、本明細書及び図面に開示していない。
【０００６】
外皮６２０は両側の脇線６２１を基準として前面６２３と裏面６２５とからなる。
【０００７】
下衣ポケット６１０は前面６２３に形成された入口６４０と、入口６４０に連結された袋型のポケット本体６３０とを含み、前面６２３の内側に形成される。ポケット本体６３０は入口６４０を介して手を入れるとき、手の甲が位置する外表面６３１と、該外表面６３１と対向するようにポケット本体６３０に手を入れるとき、手のひらが位置する内表面６３３とから構成され、前記外表面６３１と内表面６３３とが重なる周縁部は縫合されている。ここで、符号６５５は外表面６３１と内表面６３３とが重なる周縁部の縫合形成される第３縫合線を示す。
【０００８】
特に、ポケット本体６３０は脇線６２１を境界線として前面６２３側に配置される。そして、脇線６２１と境界をなすポケット本体６３０の周縁部は脇線６２１に縫合される。
入口６４０はポケット本体６３０に手を容易に入れたり出したりすることができるように、脇線６２１と前面６２３の上端部とを連結可能に傾斜形成する。入口６４０は、脇線６２１に近接した外表面６２３の上端角部とそれに対応する前面６２３の角部分とが切開されて縫合された部分６５１（第１縫合線）と、脇線６２１とポケット本体の内表面６３３の周縁部とが縫合された部分６５３（第２縫合線）とからなる。この際、外表面６３１と前面６２３の切開された部分の端部は外皮６２０の厚さよりもっと厚く第１縫合線６５１で固定して仕上げ処理される。
【０００９】
しかし、このような従来の技術による下衣ポケット６１０から物が外へ抜けてしまう理由は、脇線６２１にポケット本体６３０の一側が縫合されるからである。具体的に、下衣ポケット６１０から物が抜ける場合を察してみれば、下衣を着用した状態で運転席のような低い椅子に座ったり、平らな床に座るか横になった状態で膝が上がる場合などが挙げられる。このような場合、膝の上方の脇線６２１が水平線上へ斜めに位置することになる。従って、ポケット本体６３０の中の物は脇線に縫合されたポケット本体６３０の一側に移動した後、一側に沿って入口６４０側へ移動して入口６４０を介して外へ抜けてしまう。
【発明の開示】
【発明が解決しようとする課題】
【００１０】
本発明は前述した従来の問題点を解消するために案出されたもので、その目的は下衣ポケットに入れておいた物が入口を介して外へ抜けて紛失されることを抑制することができる下衣ポケットを提供することにある。
前記目的を達成するために、本発明は脇線を境界として前面に形成されたポケット本体を脇線を経て裏面に延設することにより、下衣ポケットに入れておいた物が抜けて紛失されることを抑制することができる下衣ポケットを提供する。
【課題を解決するための手段】
【００１１】
本発明は脇線を基準として前面と裏面とからなる外皮；前記脇線に近接した前記前面上端に形成された入口；及び前記入口と連結され前記脇線を境界として前記前面内に形成された袋型のポケット本体；を含むことを特徴とする。
【００１２】
また、本発明によれば前記ポケット本体は前記脇線を経て前記裏面まで一定した間隔だけ拡張されていることを特徴とする下衣ポケットが提供される。
本発明によるポケット本体は、外皮に対向する外表面；及び該外表面に対向する内表面；を含み、前記内表面と外表面とが重なる周縁部は縫合され、物を収めることができる空間部が形成される。
【００１３】
本発明による入口は、前面の上端部を所定の長さで切開して形成された第１入口；及び前記第１入口に対応するように外表面を切開して形成された第２入口；を含み、前記第１入口と第２入口とが重なる周縁部は縫合されている。このとき、入口は脇線の上端部から前面の上端部側へ傾斜するように形成されているか、脇線の上端部から水平方向又は垂直方向に前面に形成されることができる。
【００１４】
更に、本発明による入口は、脇線の上端部から前面の上端側へ傾斜するように前面部を切開して形成した第１入口；及び一端は前記第１入口の両端のうち一方と連結され、前記一端と連結された他端は前記第１入口よりも前方に形成されるように外表面を切開して形成した第２入口；を含む。このとき、第１入口の脇線に近い周縁部は外表面に縫合され、第２入口の脇線から遠い周縁部は前面に縫合される。そして、第２入口の一端は脇線上に形成され、第２入口の他端は前面の上端側に形成されてもよい。或いは、第２入口の一端は前面の上端側に形成され、第２入口の他端は前面の上端側に形成されることができる。
また、本発明による入口は、脇線の上端部側から水平方向に前面部を切開して形成した第１入口；及び一端は前記第１入口の両端のうち一方と連結され、前記一端と連結された他端は、前記第１入口よりも下方に傾斜形成されるように外表面を切開して形成した第２入口；を含む。このとき、第１入口の前面の上端と近い周縁部は外表面に縫合され、第２入口の前面上端と遠い周縁部は前面に縫合される。
【発明の効果】
【００１５】
本発明によれば、脇線を境界として前面に形成された入口に対して、ポケット本体は脇線を境界として前面を始として一定の部分が裏面にも空間部が形成されるので、ポケット本体に入れた物が入口を介して外へ抜けて紛失されることを抑制することができる。即ち、脇線を境界として前面に形成された入口に対して、脇線の後方にポケット本体の空間部が割り当てられているため、下衣ポケットに入れておいた物が入口ではなく脇線の後方のポケット本体の空間部側へ移動して下衣ポケットの外へ抜けて紛失されることを防ぐことができる。
【００１６】
また、下衣ポケットに切開して形成された入口の周縁部を嵌合したまま密着させることで、別途の密閉装置を取り付けることなく物の漏れを防止することができるという効果がある。
【発明を実施するための最良の形態】
【００１７】
以下、添付図面を参照して、本発明による下衣ポケットの実施形態をより詳細に説明する。
【００１８】
第１実施形態
図１は本発明の第１実施形態による入口４０が傾斜するように形成された下衣ポケット１０を示す平面図である。図２は図１の下衣ポケット１０のポケット本体３０を示す平面図である。
【００１９】
図１及び図２に示したように、第１実施形態による下衣ポケット１０は、脇線２１を基準として前面２３及び裏面２５からなる外皮２０と、前記脇線２１に近接した前記前面２３の上端の左右側に形成された入口４０と、前記入口４０と連結され前記外皮２０内に形成された袋型のポケット本体３０とを含む。一方、これら図面では第１実施形態による脇線２１に近接した前面２３に下衣ポケット１０が形成された例を開示している。ここでは下衣としてズボンを例えて説明したが、スカートにも適用できることはもちろんのことである。
【００２０】
特に、第１実施形態による下衣ポケット１０はポケット本体３０に入れておいた物が外へ抜けて紛失されることを抑制できるように、前記ポケット本体３０は前記前面２３を始として前記脇線２１を経て前記裏面２５にも一定した間隔だけ拡張されている。つまり、従来のポケット本体は、脇線を境界として前面内のみに形成されるので、下衣ポケットに入れておいた物が抜けて紛失される場合が発生した。しかしながら、本発明による第１実施形態では、脇線２１を境界として裏面２５にも一定の間隔だけ拡張されるように、空間部３５を有するポケット本体３０を形成することにより、下衣ポケット１０に入れておいた物が入口ではなく脇線２１の後方のポケット本体３０の空間部３５側へ移動するため、外へ抜けて紛失されることを防ぐことができる。
【００２１】
より具体的に説明すると、ポケット本体３０は、外皮２０に対向する外表面３１と、該外表面３１に対向する内表面３３とを含み、前記外表面３１と内表面３３とが重なる周縁部を縫合する第３縫合線５５が形成されている。
このとき、ポケット本体３０の上端部は、脇線２１を基準として前面２３側が裏面よりも空間を多く占めるように縫合される。即ち、ポケット本体３０の上端部の一側は前面２３側の上端に縫合され、一側と連結された他端は裏面２５の上端側に縫合される。ポケット本体３０の空間部は前面２３に形成された第１空間部３４と、裏面２５に形成された第２空間部とを含む。
【００２２】
入口４０は、外部からポケット本体３０の中へ手を入れて物を入れてからポケット本体３０の中から物を外へ取り出すことができるように前面２３の上端の左右側に形成される。入口４０は前面２３の上端部を所定の長さで切開して形成した第１入口４１と、前記第１入口４１に対応するように外表面３１を切開して形成した第２入口４３とを含む。特に、第１入口と第２入口とが重なる周縁部を縫合する第１縫合線５０が形成されている。即ち、前記第１縫合線５０は前記第１入口の周縁部の前面２３と、前記第２入口４３の周縁部の外表面３１とを一緒に縫合する。
【００２３】
第１実施形態による入口４０は、脇線２１の上端部から前面２３の上端側へ傾斜するように形成されている。
【００２４】
前述のような第１実施形態による下衣ポケット１０は入口４０が従来の技術による下衣ポケットと類似するように脇線２１から出発するが、脇線２１に形成された入口４０の一端に近接したポケット本体３０の第３縫合線５５が脇線よりも後方に形成されている。すなわち、前記入口４０の後方にポケット本体３０の第２空間部３５が形成されている。従って、従来の下衣ポケットから物が抜けてしまう場合、例えば下衣を着用した状態で、運転席のような低い椅子が座るとき、平らな床に座るか横になった状態で膝の部分が上がる場合が発生しても、脇線２３の後方の裏面２５に配置される第２空間部３５へ物が移動し得る空間が確保されるため、第１実施形態による下衣ポケット１０の中に入った物が外へ抜けることを抑制することができる。
【００２５】
第２実施形態
前述のような本発明の第１実施形態による下衣ポケットの入口４０は脇線２１の上端部から前面２３の上端側へ傾斜するように形成した例を開示したが、これに対し、図３に示したように、第２実施形態による下衣ポケット１１０の入口１４０は脇線１２１の上端部から水平方向に前面１２３に形成されている。
第２実施形態による下衣ポケットの入口１４０は、一字形に近く形成することができる。もちろん、前記第１入口１４１と第２入口１４３とは同一の位置に形成され、第１入口１４１と第２入口１４３とが重なる周縁部は縫合する。そのほかには第１実施形態による下衣ポケット（図１における符号１０）と同一であるため、その詳細を省略する。
【００２６】
第３実施形態
前述のような本発明の第２実施形態による下衣ポケットの入口１４０は脇線１２１の上端部から水平方向に前面１２３に形成された例を開示したが、これに対し、図４に示したように、第３実施形態による下衣ポケット１１０ａの入口１４０ａは脇線１２１ａの上端部から脇線に平行するように、即ち地面に対して垂直方向に前面１２３ａに形成されている。
【００２７】
第３実施形態による下衣ポケットの入口１４０ａは、一字形に近く形成することができる。もちろん、前記第１入口１４１ａと第２入口１４３ａとは同一の位置に形成され、第１入口１４１ａと第２入口１４３ａとが重なる周縁部は縫合する。そのほかには第１実施形態による下衣ポケット（図１における符号１０）と同一であるため、その詳細を省略する。
【００２８】
第４実施形態
前述のような本発明の第１乃至第３実施形態による下衣ポケットの入口は、第１入口及び第２入口を同じ位置に形成して単一の入口が形成された例を開示したが、第１入口及び第２入口を互いに異なる位置に形成することで二重入口に形成してもよい。この場合、第１入口に対して第２入口がもっと奥に形成され、第１入口と第２入口との間の前面部が第２入口を保護する蓋の役割を果たすように形成することが望ましい。
【００２９】
図５は本発明の第４実施形態による二重入口２４０を有する下衣ポケット２１０を示す平面図である。図６は図５の下衣ポケット２１０のポケット本体２３０を示す平面図である。
【００３０】
図５及び図６に示したように、第４実施形態による下衣ポケット２１０は、ポケット本体２３０が脇線２２１を含む前面２２３を始として裏面２２５にも一定の間隔だけ拡張されているという点で第１実施形態と同様であるが、入口２４０の構造が二重構造となっている点で異なっている。もちろん、入口２４０は脇線２２１を境界として前面２２３側に形成されている。従って、下衣ポケット２１０の入口２４０を中心として説明する。
【００３１】
第４実施形態による下衣ポケットの入口２４０は、脇線２２１の上端部側から前面２２３の上端側へ傾斜するように前面２２３の部分を切開して形成した第１入口２４１と、一端は第１入口２４１の両端のうち一方と連結され、一端と連結された他端は前記第１入口２４１よりも前方に形成されるように外表面２３１を切開して形成した第２入口２４３とを含む。
【００３２】
前記入口２４０を介して外からポケット本体２３０の中に物を入れたりポケット本体２３０の中から外へ物を取り出したりすることができるように、第１入口２４１及び脇線２２１に近い前面２２３の周縁部は外表面２３１に第１縫合線２５１で縫合され、第２入口２４３の脇線２２１から遠い外表面２３１の周縁部は前面２２３に第２縫合線２５３で縫合される。このとき、第１入口２４１から第２入口２４３へ繋がる前面２２３の部分が第２入口２４３の蓋の役割を果たす。つまり、第１入口２４１及び第２入口２４３を異なるように形成して入口２４０を二重構造に形成することで、二重構造の入口２４０を介してポケット本体２３０の中に入った物がポケット本体２３０から外へ抜けて紛失されることを効果的に抑制することができる。
【００３３】
特に、第４実施形態では第２入口２４３の一端は脇線２２１に形成され、第２入口２４３の他端は第１入口２４１の他端よりも前方の前面２２３の上端側に形成される。例えば、前記第１入口２４１と第２入口２４３とが直線形態で形成されると、脇線２２１と第１入口２４１とがなす角度に比べて脇線２２１と第２入口２４３とがなす角度が一層大きく形成される。
【００３４】
第５実施形態
第４実施形態では第２入口２４３の一端が脇線２２１に形成された例を開示したが、図７に示したように、本発明の第５実施形態による下衣ポケット３１０は、第１入口３４１と第２入口３４３とが交差する部分が前面３２３の上端側に形成される。
【００３５】
即ち、第２入口３４３の一端が前面３２３の上端側に形成され、第２入口３４３の他端は前記第１入口３４１の他端よりも下方の脇線３２１の上端部側に形成される。例えば、前記第１入口３４１と第２入口３４３とが直線形態で形成されると、前面３２３の上端と第１入口３４１とがなす角度に比べて前面３２３の上端と第２入口３４３とがなす角度が一層大きく形成される。
【００３６】
尚、第２入口３４３は他端が脇線３２１の上端部に位置するように形成されたものを例えて説明したが、前記第１入口３４１の長さに相当する長さに形成しても構わない。
【００３７】
第６実施形態
第４及び第５実施形態による下衣ポケットの第１入口は脇線の上端部から前面の上端側に傾斜するように形成された例を開示したが、図８に示したように、本発明の第６実施形態による下衣ポケット４１０の第１入口４４１は脇線４２１の上端部から水平方向に前面４２３に形成することができる。
【００３８】
すなわち、第６実施形態による下衣ポケット４１０の入口４４０は脇線４２１の上端部側から水平方向に前面４２３の部分を切開して形成した第１入口４４１と、一端は前記第１入口４４１の両端のうち一方と連結され、一端と連結された他端は第１入口４４１よりは下方に傾斜形成されるように、外表面を切開して形成した第２入口４４３とを含む。
このとき、入口４４０を介して外からポケット本体４３０の中に物を入れたりポケット本体４３０の中から外へ物を取り出すことができるように、第１入口４４１の前面４２３の上端と近い周縁部は外表面に第１縫合線４５１で縫合され、第２入口４４３の前面４２３の上端と遠い周縁部は前面４２３に第２縫合線４５３で縫合される。
【００３９】
特に、第６実施形態による第１入口４４１と第２入口４４３とが交差する部分は脇線４２１の上端部に形成され、第２入口４４３の他端は第１入口４４１の他端よりも下方に形成される。例えば、第１入口４４１及び第２入口４４３が直線形態で形成される場合、第１入口４４１は水平方向に形成されるので、第２入口４４３は水平方向よりも下方に傾斜するように形成される。もちろん、第１入口４４１を経て第２入口４４３を介してポケット本体４３０の中へ物を入れることができるように、第２入口４４３は第１入口４４１に対してあまり傾斜するように形成することは望ましくない。
【００４０】
第６実施形態では第１入口４４１と第２入口４４３とが交差する部分が脇線４２１の上端部に形成された例を開示したが、その反対地点に形成することもできる。反対地点に第１入口と第２入口とが交差する部分が形成された場合、第２入口の他端は第１入口が形成された脇線の地点よりは下方の脇線に形成した方が好ましい。
【００４１】
第７実施形態
第４及び第５実施形態による下衣ポケットの第１入口は脇線の上端部から前面の上端側へ傾斜するように形成された例を開示したが、図９に示したように、本発明の第７実施形態による下衣ポケット５１０の第１入口５４１は、脇線５２１の上端部から脇線５２１に平行するように、即ち地面に対して垂直方向に前面５２３に形成することができる。
【００４２】
つまり、第７実施形態による入口５４０は、脇線５２１の上端部側から脇線５２１に平行に前面５２３の部分を切開して形成した第１入口５４１と、一端は第１入口５４１の両端のうち一方と連結され、一端と連結された他端は第１入口５４１よりは前方に形成されるように外表面を切開して形成した第２入口５４３とを含む。
【００４３】
前記入口５４０を介して外からポケット本体５３０の中に物を入れたりポケット本体５３０の中から外へ物を取り出したりすることができるように、第１入口５４１及び脇線５２１に近い周縁部は外表面に第１縫合線５５１で縫合され、第２入口５４３の脇線５２１から遠い周縁部は前面５２３に第２縫合線５５３で縫合される。このとき、第１入口５４１から第２入口５４３へ繋がる前面５２３の部分が第２入口５４３の蓋の役割を果たす。つまり、第１入口５４１及び第２入口５４３を異なるように形成して入口５４０を二重構造に形成することで、二重構造の入口５４０を介してポケット本体５３０の中に入った物がポケット本体５３０から外へ抜けて紛失されることを効果的に抑制することができる。
【００４４】
特に、第７実施形態では第２入口５４３の一端は第１入口５４１の下端と連結され、第２入口５４３の他端は第１入口５４１の上端よりは前方の前面５２３の上端部側に形成される。例えば、前記第１入口５４１と第２入口５４３とが直線形態で形成される場合、第１入口５４１と第２入口５４３とが所定の角をなすように第２入口５４３を形成する。
【００４５】
なお、本明細書及び図面に開示された本発明の実施形態は理解を助けるために特定の例を例えて説明したものに過ぎず、本発明の範囲を制限するわけではない。さらに、これらの実施形態のほかにも本発明の技術的思想を逸脱しない範囲内で多様な変形及び修正が実施可能であることは、本発明の属する技術分野における通常の知識を有する者にとって明らかである。
【００４６】
例えば、本発明の実施形態ではポケット本体を四角形に形成したが、楕円形や四角形以外の多角形に形成してもよい。このときも、脇線を境界として裏面まで一定の部分を延設しなければならない。更に、本発明の実施形態では入口を直線の形態で形成したが、前面の上端部から下方に向かって凹む形態で面取り加工を行うことができることは言うまでもない。
【図面の簡単な説明】
【００４７】
【図１】本発明の第１実施形態による入口が傾斜するように形成された下衣ポケットを示す平面図である。
【図２】図１の下衣ポケットのポケット本体を示す平面図である。
【図３】本発明の第２実施形態による入口が水平に形成された下衣ポケットを示す平面図である。
【図４】本発明の第３実施形態による入口が垂直に形成された下衣ポケットを示す平面図である。
【図５】本発明の第４実施形態による二重入口を有する下衣ポケットを示す平面図である。
【図６】図５の下衣ポケットのポケット本体を示す平面図である。
【図７】本発明の第５実施形態による二重入口を有する下衣ポケットを示す平面図である。
【図８】本発明の第６実施形態による二重入口を有する下衣ポケットを示す平面図であって、第１入口が水平方向に形成された状態を示す平面図である。
【図９】本発明の第７実施形態による二重入口を有する下衣ポケットを示す平面図であって、第１入口が垂直方向に形成された状態を示す平面図である。
【図１０】従来の技術による下衣ポケットを示す平面図である。
【図１１】図１０の下衣ポケットのポケット本体を示す平面図である。
【符号の説明】
【００４８】
１０、１１０、２１０、３１０、４１０  下衣ポケット
２０、１２０、２２０、３２０、４２０  外皮
２１、１２１、２２１、３２１、４２１  脇線
２３、１２３、２２３、３２３、４２３  前面
２５、１２５、２２５、３２５、４２５  裏面
３１、１３１、２３１、３３１、４３１  外表面
３３、２３３、４３１  内表面
４０、１４０、２４０、３４０、４４０  入口
４１、１４１、２４１、３４１、４４１  第１入口
４３、１４３、２４３、３４３、４４３  第２入口
５０、５５、２５１、３５１、３５３、４５１、４５３、５５１、５５３  縫合線
【図１】
2008506860.tif 000003
【図２】
2008506860.tif 000004
【図３】
2008506860.tif 000005
【図４】
2008506860.tif 000006
【図５】
2008506860.tif 000007
【図６】
2008506860.tif 000008
【図７】
2008506860.tif 000009
【図８】
2008506860.tif 000010
【図９】
2008506860.tif 000011
【図１０】
2008506860.tif 000012
【図１１】
2008506860.tif 000013
【国際調査報告】
2008506860.tif 000014